(57)【要約】【課題】ディスクカートリッジ内部に収納されているディスクを塵埃や磨耗粉から保護し、防塵性に優れたディスクカートリッジを提供する。【解決手段】ディスクカートリッジは、シャッタ摺動面１４上における、開口部１５の周囲の少なくとも一部に凸部１６を備えている。また、開口部１５を開閉するように形成されたシャッタ３０は、閉状態にて、開口部１５及び凸部１６を覆う遮蔽部３１と、開閉動作にて、シャッタ摺動面１４を摺動する摺動面３３とを有している。【選択図】図１
2008052905.tif 000002
【特許請求の範囲】
【請求項１】
円盤状の記録媒体を回転可能に収納するカートリッジ本体に、情報の記録再生に際して上記記録媒体の一部を露出させる開口部を設けるとともに、閉状態にて該開口部を覆う遮蔽部と、開閉動作にて上記カートリッジ本体のシャッタ摺動面に接触摺動する摺動部とを備えたシャッタが、上記開口部を開閉するように形成されているディスクカートリッジにおいて、
上記シャッタ摺動面上における、上記開口部の周囲の少なくとも一部に凸部を備え、
上記凸部は、閉状態にて、遮蔽部に覆われており、
上記遮蔽部は、上記シャッタの閉状態にて、上記凸部の最頂部以外の位置にある接触部に接触していることを特徴とするディスクカートリッジ。
【請求項２】
上記シャッタにスプリングが取り付けられ、
上記シャッタの閉状態にて、上記スプリングにより、上記遮蔽部が上記凸部の接触部に押し当てられていることを特徴とする請求項１に記載のディスクカートリッジ。
【請求項３】
上記凸部、又は、凸部の接触部は、弾性を有する材料にて形成されていることを特徴とする請求項１又は２に記載のディスクカートリッジ。
【請求項４】
上記シャッタ摺動面の、上記凸部の周囲の少なくとも一部に、凹形状のトラップ部が設けられていることを特徴とする請求項１〜３のいずれか１項に記載のディスクカートリッジ。
【請求項５】
上記カートリッジ本体は、上記記録媒体に対して情報の記録再生を行う記録再生装置への装着方向にある切り欠き部を有していることを特徴とする請求項１〜４のいずれか１項に記載のディスクカートリッジ。
【請求項６】
上記切り欠き部は、上記記録再生装置に備えられた記録再生ヘッドが進入する記録再生ヘッド進入側面に設けられていることを特徴とする請求項５に記載のディスクカートリッジ。
【請求項７】
上記カートリッジ本体表面には、上記記録媒体に関する情報を認識可能に記録する認識手段が設けられていることを特徴とする請求項１〜６のいずれか１項に記載のディスクカートリッジ。
【請求項８】
上記カートリッジ本体表面から突出するように設けられた少なくとも一つの凸面部を有し、該凸面部には、上記認識手段を設置するための凹形状の認識手段取付部が設けられていることを特徴とする請求項７に記載のディスクカートリッジ。
【請求項９】
上記シャッタは、閉状態にて、上記凸面部に当接していることを特徴とする請求項８に記載のディスクカートリッジ。
【発明の詳細な説明】
【技術分野】
【０００１】
本発明は、情報の記録再生に用いられるディスク状の記録媒体を内部に収納するディスクカートリッジに関するものである。
【背景技術】
【０００２】
光ディスクや磁気ディスク等の円盤状の記録媒体（以下、ディスクと称する）は、記録再生装置への装着時の利便性や防塵のために、ディスクカートリッジの内部に収容されている。そのため、情報の記録再生時に、記録再生装置に備えられた磁気ヘッド等の記録再生ヘッドや、ディスクを回転駆動させるためのターンテーブルがディスクに近接可能となるように、ディスクカートリッジには開口部が設けられている。そして、この開口部からディスクへの塵埃等の侵入を防止するために、通常、開口部には開閉自在のシャッタが設けられている。
【０００３】
つまり、上記ディスクカートリッジは、記録再生装置に装着されると、シャッタを開いて、開口部からディスクの一部を露出させ、ディスクに記録された情報の再生や、ディスクへの情報の記録を可能にする。これに対し、ディスクカートリッジが記録再生装置に装着されていない場合には、シャッタを閉じて開口部を覆い、埃塵等からディスクを保護している。
【０００４】
このようなシャッタを備えたディスクカートリッジとして、例えば、光磁気ディスクを内部に収納したディスクカートリッジが知られている。光磁気ディスクは、記録再生に、記録再生装置の磁気ヘッド及び光ヘッドを使用するものである。以下では、φ８６ｍｍの光磁気ディスクを収容したディスクカートリッジについて、図８ないし図１０に基づいて説明する。
【０００５】
図８（ａ）（ｂ）に示すディスクカートリッジ６１は、図９に示すように、上ハーフ７０と下ハーフ８０とを組み合わせてなるカートリッジ本体の内部空間内にて、回転自在となるように光磁気ディスク（以下、ディスクと記載する）６２を収納している。そして、カートリッジ本体には、ディスク６２への情報信号の書き込み及び読み出し（以下、情報の記録再生と記載する）のために設けられた開口部７５・８５に対して、上記したように、開閉自在のシャッタ９０が備えられている。
【０００６】
このシャッタ９０は、図９に示すように、上下ハーフ７０・８０の側面部をスライドするシャッタスライダ９５に取り付けられ、さらに、下ハーフ８０に配置されるシャッタ止め板８９によって、カートリッジ本体を摺動可能に取り付けられる。そして、シャッタ９０は、このシャッタスライダ９５の移動とともに移動して、開口部７５・８５を開閉する。
【０００７】
また、図８（ａ）（ｂ）に示すように、シャッタスライダ９５を上下ハーフ７０・８０の側面部に沿って移動させるために、シャッタスライダ９５の一端とカートリッジ本体との間には、シャッタスプリング９９（図９）が取り付けられている。このシャッタスプリング９９の伸縮を利用することにより、シャッタスライダ９５が上下ハーフ７０・８０の側面部をスライドし、シャッタ９０がカートリッジ本体を摺動する。
【０００８】
上記開口部７５は、図９に示すように、ディスクカートリッジ６１の上ハーフ７０に形成され、記録再生装置の磁気ヘッドがディスク６２に進入可能となるように設けられている。これに対し、開口部８５は、下ハーフ８０に形成され、ディスク６２が光ヘッド及びターンテーブルに進入可能となるように設けられている。なお、上記ディスクカートリッジ６１には、ディスク６２の再生に際して、ディスク６２に記録された情報の誤消去を防止するために、ライトプロテクタ６３が備えられている。
【０００９】
以上のように構成されたディスクカートリッジ６１は、以下のように、開閉動作を行う。
【００１０】
すなわち、ディスクカートリッジ６１にて、シャッタスプリング９９（図９）が略直線状に伸びた状態であるときには、図８（ａ）及び図１０に示すように、シャッタ９０は、開口部７５・８５を覆った閉状態となる。これに対し、開口部７５・８５からディスク６２の一部を露出させて開状態とする際には、シャッタスプリング９９を略くの字型に折りたたむ。これにより、図８（ｂ）に示すように、シャッタ９０がシャッタスライダ９５とともにスライドし、開口部７５・８５よりディスク６２が露出する。そして、開口部７５・８５から露出したディスク６２の信号記録面に対して、上記した磁気ヘッド及び光ヘッドにより、情報の記録再生が行われる。
【００１１】
また、特許文献１には、図１１（ａ）（ｂ）に示すように、開口部１１５に対して、回転開閉式の２つのシャッタ１１０ａ・１１０ｂを設けたディスクカートリッジ１０１が開示されている。特許文献１のディスクカートリッジ１０１では、図１２に示すように、カートリッジ本体の下ハーフ１０３に、２つのシャッタ１１０ａ・１１０ｂが摺動する凹部１０３ａを設けている。そして、この凹部１０３ａにシャッタ１１０ａ・１１０ｂを収納するために、下ハーフカバー１０４が形成されている。
【００１２】
さらに、上記シャッタ１１０ａには、図１１（ａ）及び図１２に示すように、シャッタ１１０ｂと突き合わされる側の側面の近傍に、ひさし部１１０ｘが形成されている。そのため、シャッタ１１０ａ・１１０ｂが閉状態となると、シャッタ１１０ａのひさし部１１０ｘがシャッタ１１０ｂに重なった状態となる。
【００１３】
上記構成のディスクカートリッジ１０１は、凹部１０３ａを摺動することによって、シャッタ１１０ａ・１１０ｂの回転開閉動作を行っている。すなわち、シャッタ１１０ａ・１１０ｂが開状態となると、図１１（ｂ）に示すように、シャッタ１１０ａ・１１０ｂがそれぞれ互いに離れる方向へ移動し、開口部１１５からディスク１０２の一部を露出させる。
【００１４】
これに対し、２つのシャッタ１１０ａ・１１０ｂが閉状態となる場合には、図１１（ａ）に示すように、この２つのシャッタ１１０ａ・１１０ｂを突き合わせて開口部１１５を覆う。このとき、図１２に示すように、シャッタ１１０ａに設けられたひさし部１１０ｘが、シャッタ１１０ａとシャッタ１１０ｂとの突き合わせ部分を覆っている。これにより、シャッタ１１０ａ・１１０ｂの閉状態時に、シャッタ１１０ａ・１１０ｂの突き合わせ部分の隙間からの塵埃の侵入を防止している。
【００１５】
上記のように、ディスクカートリッジ６１のシャッタ９０、及び、ディスクカートリッジ１０１のシャッタ１１０ａ・１１０ｂは、いずれも、カートリッジ本体を摺動して開閉動作を行っている。
【００１６】
そのため、図１０に示すように、上記ディスクカートリッジ６１では、シャッタ９０のスムーズな開閉動作を実現するために、シャッタ９０と上下ハーフ７０・８０との間に、それぞれ隙間βを設けている。すなわち、シャッタ９０と上下ハーフ７０・８０とを完全に密着させると、双方の材質による材質摩擦が大きくなり、シャッタ９０の摺動が困難になって開閉動作をスムーズに行うことができなくなる。また、シャッタ９０と上下ハーフ７０・８０とをそれぞれ完全に密着させた状態にて、シャッタ９０の摺動を可能にするためには、上下ハーフ７０・８０の平面性を十分に確保しなければならない。そこで、ディスクカートリッジ６１では、シャッタ９０と上下ハーフ７０・８０との間に若干の隙間βを設けることによって、シャッタ９０のスムーズな開閉動作を実現している。
【００１７】
また、図１２に示すように、ディスクカートリッジ１０１では、下ハーフ１０３と、シャッタ１１０ａ・１１０ｂとの間に隙間γを設け、スムーズにシャッタ１１０ａ・１１０ｂの開閉動作を行うことを可能にしている。
【特許文献１】特開２０００−３０３９６号公報（２０００年１月２８日公開）
【発明の開示】
【発明が解決しようとする課題】
【００１８】
しかしながら、上記従来のディスクカートリッジ６１では、図１０に示すように、シャッタ９０と上下ハーフ７０・８０との間に、それぞれ若干の隙間βがあるため、この隙間βから開口部７５・８５を経て、粉塵等がディスク６２に侵入する可能性があるという問題を有している。また、シャッタ９０が上下ハーフ７０・８０を摺動する際に、開口部７５・８５の縁部７５ａ・８５ａにてそれぞれ磨耗を引き起こす場合もある。この磨耗によって生じた磨耗粉は、開口部７５・８５を経てディスク６２の表面に付着する可能性がある。ディスク６２表面に付着した粉塵は、ディスク２の記録再生時に障害となって、情報の記録再生に際して不良を引き起こしてしまう可能性がある。
【００１９】
これに対し、上記特許文献１に開示されているディスクカートリッジ１０１では、上記したように、下ハーフ１０３に設けられた凹部１０３ａと下ハーフカバー１０４との間に、シャッタ１１０ａ・１１０ｂが設けられている（図１２）。このように、凹部１０３ａ及び下ハーフカバー１０４が設けられているので、下ハーフ１０３とシャッタ１１０ａ・１１０ｂとの間の隙間γから開口部１１５を経て、ディスク１０２に侵入する粉塵は、上記ディスクカートリッジ６１（図１０）に比べると少ないと考えられる。しかしながら、シャッタ１１０ａ・１１０ｂが凹部１０３を摺動する際に、開口部１１５の縁部１１５ａにて磨耗が引き起こされる場合がある。この磨耗によって生じた磨耗粉は、図１０に示すディスクカートリッジ６１と同様に、開口部１１５を経て、ディスク１０２表面に付着し、記録再生時の障害となる可能性がある。
【００２０】
本発明は、上記従来の問題点を解決するためになされたものであって、その目的は、ディスクカートリッジ内部に収納されているディスクを塵埃や磨耗粉から保護し、防塵性に優れたディスクカートリッジを提供することにある。
【課題を解決するための手段】
【００２１】
本発明のディスクカートリッジは、上記課題を解決するために、円盤状の記録媒体を回転可能に収納するカートリッジ本体に、情報の記録再生に際して上記記録媒体の一部を露出させる開口部を設けるとともに、閉状態にて該開口部を覆う遮蔽部と、開閉動作にて上記カートリッジ本体のシャッタ摺動面に接触摺動する摺動部とを備えたシャッタが、上記開口部を開閉するように形成されているディスクカートリッジにおいて、上記シャッタ摺動面上における、上記開口部の周囲の少なくとも一部に凸部を備え、上記凸部は、閉状態にて、遮蔽部に覆われており、上記遮蔽部は、上記シャッタの閉状態にて、上記凸部の最頂部以外の位置にある接触部に接触していることを特徴としている。
【００２２】
上記の構成によれば、開口部の周囲の少なくとも一部に凸部が設けられている。そのため、上記摺動部とシャッタ摺動面との間に、外部から塵や埃が侵入した場合にも、この凸部が障壁となるので、塵や埃が開口部を経て記録媒体に付着することを防止することができる。また、シャッタの開閉動作時に、摺動部とシャッタ摺動面との接触により磨耗が生じた場合にも、上記凸部が障壁となるので、磨耗粉が開口部から記録媒体へ侵入することを防止することができる。
【００２３】
さらに、シャッタは、上記凸部に囲まれた開口部を覆うことができるように、遮蔽部と摺動部とを備えている。そのため、開口部の周囲全体又は周囲の一部に凸部を設けても、遮蔽部が凸部及び開口部を覆い、摺動部がシャッタ摺動面を摺動するので、凸部がシャッタの開閉動作の障害となることはない。従って、シャッタの開閉動作をスムーズかつ自在に行うことができる。
【００２４】
これにより、シャッタのスムーズな開閉動作が可能であって、かつ塵埃や磨耗粉の記録媒体への侵入を防止する防塵性に優れたディスクカートリッジを提供することができる。さらに、記録媒体表面に付着する塵埃や磨耗粉を低減することができるので、記録媒体の記録再生を好適に行うことが可能になり、信頼性の高いディスクカートリッジを提供することができる。また、シャッタの閉状態にて、遮蔽部と凸部の接触部とが接触しているので、外部から、上記摺動部とシャッタ摺動面との間に塵や埃、上記した磨耗粉等が侵入しても、開口部へ侵入することはない。従って、記録媒体表面に、塵埃や磨耗粉が付着することはなく、防塵性に優れたディスクカートリッジを提供することができる。
【００２５】
また、本発明のディスクカートリッジは、上記のディスクカートリッジにおいて、上記シャッタにスプリングが取り付けられ、上記シャッタの閉状態にて、上記スプリングにより、上記遮蔽部が上記凸部の接触部に押し当てられていることを特徴としている。
【００２６】
上記の構成によれば、シャッタの閉状態にて、スプリングの付勢力によって遮蔽部が凸部の接触部に押し当てられているので、遮蔽部と凸部の接触部とを密着させることができる。これにより、シャッタの閉状態にて、開口部の密閉性を高めることができ、ディスクカートリッジの防塵性を向上することができる。
【００２７】
また、本発明のディスクカートリッジは、上記のディスクカートリッジにおいて、上記凸部、又は、凸部の接触部は、弾性を有する材料にて形成されていることを特徴としている。
【００２８】
上記の構成によれば、凸部、又は、凸部の接触部が弾性を有する材料にて形成されているので、遮蔽部が凸部の接触部に押し当てられた場合に、凸部の接触部が弾性変形し、遮蔽部に密着することができる。これにより、遮蔽部と凸部の接触部との密着性が高められるので、シャッタの閉状態におけるディスクカートリッジの防塵性を向上することができる。
【００２９】
また、本発明のディスクカートリッジは、上記のディスクカートリッジにおいて、上記シャッタ摺動面の、上記凸部の周囲の少なくとも一部に、凹形状のトラップ部が設けられていることを特徴としている。
【００３０】
上記の構成によれば、外部から、摺動部とシャッタ摺動面との間に塵や埃、上記した磨耗粉等が侵入しても、トラップ部に入り込むので、開口部から記録媒体への侵入を抑制することができる。これにより、ディスクカートリッジの防塵性を向上し、良好な記録再生を行うことができるディスクカートリッジを提供することができる。
【００３１】
また、本発明のディスクカートリッジは、上記のディスクカートリッジにおいて、上記カートリッジ本体は、上記記録媒体に対して情報の記録再生を行う記録再生装置への装着方向にある切り欠き部を有していることを特徴としている。
【００３２】
上記の構成によれば、ディスクカートリッジを記録再生装置に装着する際に、ディスクカートリッジの装着方向を判別するための切り欠き部が設けられている。これにより、ディスクカートリッジを記録再生装置に装着する際に、装着方向を容易に判断することが可能になる。
【００３３】
また、本発明のディスクカートリッジは、上記のディスクカートリッジにおいて、上記切り欠き部は、上記記録再生装置に備えられた記録再生ヘッドが進入する記録再生ヘッド進入側面に設けられていることを特徴している。
【００３４】
上記の構成によれば、上記切り欠き部に記録再生ヘッドの一部を収容することができるので、記録再生ヘッドを小型化し、その結果、記録再生装置のディスクドライブを小型化することが可能になる。
【００３５】
また、本発明のディスクカートリッジは、上記のディスクカートリッジにおいて、上記カートリッジ本体表面には、上記記録媒体に関する情報を認識可能に記録する認識手段が設けられていることを特徴としている。
【００３６】
上記の構成によれば、上記認識手段に、ディスクカートリッジ内に収納されている記録媒体に関する情報を記録することができる。従って、カートリッジ本体表面に設けられた上記認識手段によって、上記ディスクカートリッジを記録再生装置に挿入することなく、上記情報を確認することができる。
【００３７】
また、本発明のディスクカートリッジは、上記のディスクカートリッジにおいて、上記カートリッジ本体表面から突出するように設けられた少なくとも一つの凸面部を有し、該凸面部には、上記認識手段を設置するための凹形状の認識手段取付部が設けられていることを特徴としている。
【００３８】
上記の構成によれば、カートリッジ本体表面に、凹形状の認識手段取付部を設けているので、上記認識手段がカートリッジ本体表面から突出することはない。従って、ディスクカートリッジの記録再生装置への挿入・取り出しに際して、上記認識手段が、記録再生装置に接触して剥離することや、記録再生装置や認識手段が破損することを防止することができる。
【００３９】
また、上記認識手段取付部は、カートリッジ本体表面のうち、比較的肉厚の大きい凸面部に設けられている。そのため、認識手段取付部が設けられた領域の厚さが小さくなって強度が低下することを防止することができる。
【００４０】
また、本発明のディスクカートリッジは、上記のディスクカートリッジにおいて、上記凸面部には、上記シャッタの閉状態にて、該シャッタが当接していることを特徴としている。
【００４１】
上記の構成によれば、上記したスプリングの付勢力により、上記凸部の接触部とともに、上記凸面部にもシャッタが押し当てられる。それゆえ、シャッタの閉状態にて開口部の密閉性を高めることができる。また、シャッタが上記凸面部に当接させることによって、上記シャッタが開口部上に配置されて留まった状態とすることができるので、上記シャッタが安定な状態で開口部を覆うことが可能になる。
【発明の効果】
【００４２】
本発明のディスクカートリッジは、以上のように、シャッタ摺動面上における、開口部の周囲の少なくとも一部に凸部を備え、凸部は、閉状態にて、遮蔽部に覆われており、上記遮蔽部は、シャッタの閉状態にて、上記凸部の最頂部以外の位置にある接触部に接触しているものである。
【００４３】
それゆえ、摺動部とシャッタ摺動面との間に、外部から塵や埃が侵入した場合にも、上記凸部が障壁となり、塵や埃が開口部を経て記録媒体に付着することを防止することができるという効果を奏する。また、シャッタの開閉動作時に、摺動部とシャッタ摺動面との接触により磨耗が生じた場合にも、上記凸部が障壁となるので、磨耗粉が開口部から記録媒体へ侵入することを防止することができるという効果を奏する。これにより、防塵性や信頼性に優れたディスクカートリッジを提供することができるという効果を奏する。
【００４４】
また、シャッタの閉状態にて、遮蔽部と凸部の接触部とが接触しているので、外部から開口部へ塵や埃、磨耗粉等が侵入することはないという効果を奏する。これにより、防塵性に優れたディスクカートリッジを提供することができるという効果を奏する。
【発明を実施するための最良の形態】
【００４５】
本発明の実施の一形態について図１ないし図７に基づいて説明すれば、以下の通りである。
【００４６】
本実施の形態のディスクカートリッジ１は、図２に示すように、円盤状の光磁気ディスク（以下、ディスクと記載する）２と、ライトプロテクタ３と、上ハーフ１０と下ハーフ２０（以下、上下ハーフ１０・２０と記載する）とを組み合わせてなる略薄型箱状のカートリッジ本体と、シャッタ３０とを備えている。そして、上記上下ハーフ１０・２０のそれぞれに形成されている円形状のディスク収納部に、円周方向に回転自在となるようにディスク２が収納されている。
【００４７】
上記ディスク２は、例えば、ポリカーボネートを主成分として構成されている。上記ディスク２は、光磁気ディスクであるので、ディスク２の信号記録面への情報信号の書き込み及び読み出し（以下、情報の記録再生と記載する）を行う際に、記録再生装置の磁気ヘッドと光ヘッドとが用いられる。
【００４８】
ライトプロテクタ３は、ディスク２の信号記録面に記録された情報を再生する際に、記録された情報が誤って消去されることを防止するために備えられている。
【００４９】
上下ハーフ１０・２０は、例えば、ポリカーボネート等によって形成されている。この上下ハーフ１０・２０が組み合わされて、図３（ａ）（ｂ）に示すように、カートリッジ本体が形成され、該カートリッジ本体内部の空間にディスク２が収納されている。そして、詳細は後述するが、上下ハーフ１０・２０には、ディスク２への情報の記録再生を可能とするために、ディスク２の一部を露出させるための開口部１５・２５がそれぞれ設けられている（図２）。なお、以下では、上下ハーフ１０・２０のうち、ディスク２が収納される側の面を内表面、ディスク２が収納される側とは反対側の面を外表面と称する。
【００５０】
上ハーフ１０は、図２に示すように、上ハーフの外表面に、凹部１１と、凸面（凸面部）１２と、ライトプロテクタ孔部１３とを有している。凹部１１と凸面１２とは、上ハーフ１０の側面部１７に沿って設けられている。
【００５１】
凹部１１には、シャッタ摺動面１４と、四辺形の開口部１５、上ハーフ１０の外表面にて開口部１５を取り囲むように設けられた凸部１６が形成されている。シャッタ摺動面１４は、上ハーフ１０の外表面のうち、後述するシャッタ３０が摺動する領域である。開口部１５は、記録再生装置の磁気ヘッドがディスク２に進入する進入口となっている。
【００５２】
凸部１６は、後述するシャッタ３０によって、開口部１５とともに覆われ、シャッタ摺動面１１から突出して設けられている。凸部１６の断面形状は、四辺形状、半円形状、三角形状等、特に限定されるものではない。なお、この凸部１６は、上ハーフ１０の外表面又は後述する凸面１２と、シャッタ摺動面１１との高低差の範囲内にて、凸部１６の凸部上面（最頂部）１６ａが、後述するシャッタ３０に接触しない高さを有するように設けられている。
【００５３】
凸面１２は、上ハーフ１０の外表面から突出するように形成されている。図１に示すように、凸面１２のシャッタ当接面１２ａには、後述するシャッタ３０の当接面３１ａが当接するため、凸面１２の側面形状は、シャッタ３０の側面形状に一致するように形成されている。このように、凸面１２を設けて、シャッタ３０を凸面１２のシャッタ当接面１２ａに押し当てることができるようにすることにより、後述するように、シャッタ３０の閉状態にて、シャッタ３０を所定位置に留まらせることができる。
【００５４】
ライトプロテクタ孔部１３（図２）は、上記ライトプロテクタ３の位置を記録再生装置が判断するために設けられた孔である。このライトプロテクタ３の位置に応じて、ディスク２への情報の記録が制御される。
【００５５】
また、下ハーフ２０は、図４に示すように、下ハーフ２０の外表面に、凹部２１と、凸面（凸面部）２２と、図２に示すライトプロテクタスライド孔部２３と、シャッタ止め板２９とを有している。凹部２１及び凸面２２は、下ハーフ２０の側面部２７（図２）に沿って配置されている。
【００５６】
凹部２１には、図４及び図５に示すように、シャッタ摺動面２４、ディスク２の中央孔部２ａから下ハーフの側面部２７付近まで開口した開口部２５、下ハーフの外表面にて開口部２５を取り囲むように設けられた凸部２６が備えられている。シャッタ摺動面２４は、後述するシャッタ３０が摺動する領域である。
【００５７】
開口部２５は、記録再生装置の光ヘッド及び、ディスク２を回転駆動するための磁石を含有するターンテーブルがディスク２に進入するために設けられている。すなわち、図５に示すように、開口部２５のうち、ディスク２の中央孔部２ａ付近に相当する開口部分には、記録再生装置のターンテーブルが進入してディスク２を回転駆動し、この中央孔部２ａの開口部分に連設された側面部２７付近までの開口部分には、光ヘッドが進入する。
【００５８】
凸部２６は、上記凸部１６と同様、後述するシャッタ３０によって開口部２５とともに覆われ、シャッタ摺動面２４から突出するように設けられている。凸部２６の断面形状についても、上記凸部１６と同様、特に限定されるものではない。なお、凸部２６は、下ハーフ２０の外表面又は後述する凸面２２と、シャッタ摺動面２４との高低差の範囲内にて、凸部２０の凸部上面（最頂部）２６ａが、後述するシャッタ３０に接触しない高さを有するように設けられている。
【００５９】
凸面２２は、下ハーフ２０の外表面から突出するように形成されている。凸面２２のシャッタ当接面２２ａには、図４に示すように、後述するシャッタ３０の当接面３２ａが当接するため、凸面２２の側面形状は、シャッタ３０の側面形状に一致するように形成されている。このように、凸面２２を設けて、シャッタ３０を凸面２２のシャッタ当接面２２ａに押し当てることができるようにすることによって、後述するように、シャッタ３０の閉状態にて、シャッタ３０を所定位置に留まらせることができる。
【００６０】
ライトプロテクタスライド孔部２３（図２）は、上下ハーフ１０・２０が組み合わされた場合に、上記ライトプロテクタ孔部１３に対応する位置に設けられている。ライトプロテクタスライド孔部２３は、ライトプロテクタ３のスライドを可能とし、記録再生装置は、ライトプロテクタ３の位置によって、ディスク２への情報の書き込みを制御する。
【００６１】
シャッタ止め板２９は、図５に示すように、シャッタ摺動面２４と下ハーフ２０の外表面との境界領域に、側面部２７に平行に設けられている。そして、シャッタ止め板２９とシャッタ摺動面２４との間に、後述するシャッタ３０の一端が差し込まれている。これにより、シャッタ３０は、シャッタ摺動面２４上を摺動することが可能になっている。
【００６２】
また、図２に示すシャッタ３０は、例えばステンレス材によって形成されている。シャッタ３０は、上下ハーフ１０・２０の開口部１５・２５を開閉するために設けられ、シャッタ摺動面１４・２４を摺動する。なお、以下では、シャッタ３０が開口部１５・２５を覆って閉鎖している状態を閉状態（図３（ａ））と称し、シャッタ３０が開口部１５・２５を覆わずに開放している状態を開状態（図３（ｂ））と称する。
【００６３】
このシャッタ３０は、図２に示すように、略コの字型であって、シャッタ摺動面１４・２４を摺動可能とするために、ステンレス材等にて形成されたシャッタスライダ３５が備えられている。具体的には、図５に示すように、シャッタ３０は、上下ハーフ１０・２０を挟み込むように設けられ、このシャッタ３０とカートリッジ本体の側面との間に、シャッタスライダ３５が設けられている。すなわち、シャッタスライダ３５は、上下ハーフ１０・２０が組み合わされた場合に形成される側面部１７・２７に囲まれた溝３７にはめ込まれるように取り付けられている。そして、この溝３７に沿ってシャッタスライダ３５がスライドすることにより、シャッタ３０が、シャッタ摺動面１４・２４を摺動する。
【００６４】
上記のように、シャッタスライダ３５をスライドさせて、シャッタ３０の開閉動作を行うために、シャッタスライダ３５の一端にはシャッタスプリング３９（図２）が取り付けられている。シャッタスプリング３９は、上記上下ハーフ１０・２０が組み合わされたカートリッジ本体の内部に設けられている。つまり、シャッタスプリング３９の一端は、シャッタスライダ３５の端部に取り付けられ、他方の一端は、カートリッジ本体の内部の側面に取り付けられている。そして、シャッタスプリング３９は、シャッタスライダ３５のスライドに伴って、シャッタスライダ３５の一端とカートリッジ本体との間にて伸縮する。
【００６５】
上記シャッタ３０は、図４に示すように、遮蔽部３１・３２と、シャッタ摺動面１４・２４を摺動する摺動部としての摺動面３３・３４とを有している。遮蔽部３１及び摺動面３３は、シャッタ３０のうち、上ハーフ１０のシャッタ摺動面１４を摺動する側に設けられている。遮蔽部３２及び摺動面３４は、シャッタ３０のうち、下ハーフ１０のシャッタ摺動面２４に摺動する側に設けられている。
【００６６】
上記遮蔽部３１・３２は、図２に示すように、シャッタ３０の閉状態時に、開口部１５・２５及びその周囲にある凸部１６・２６を覆うように、凸状に形成されている。また、遮蔽部３１・３２は、それぞれ、図４に示すように、上下ハーフ１０・２０に設けられた凸面１２・２２とほぼ同じ高さとなるように形成されている。そして、遮蔽部３１・３２の上下ハーフ１０・２０に対向する側の対向面３１ｂ・３２ｂと、凸部１６・２６の凸部上面１６ａ・２６ａとの間には、空間が形成される。
【００６７】
また、遮蔽部３１・３２は、シャッタ３０が閉状態となった場合に、上下ハーフ１０・２０の開口部１５・２５及びその周囲に設けられた凸部１６・２６を覆うことができる大きさにて形成されている（図４、図５）。具体的には、この遮蔽部３１・３２は、シャッタ３０の閉状態時に、図４に示すように、遮蔽部３１・３２の当接面３１ａ・３２ａにて、上下ハーフ１０・２０の凸面１２・２２のシャッタ当接面１２ａ・２２ａにそれぞれ当接し、かつ、遮蔽部３１・３２の内側面３１ｃ・３２ｃにて、凸面１２・２２とは反対側に位置する凸部１６・２６の側面（接触部）にそれぞれ当接するような大きさにて形成されている。
【００６８】
なお、遮蔽部３１・３２の内側面３１ｃ・３２ｃは、必ずしも凸部１６・２６に当接する必要はない。遮蔽部３１・３２が、シャッタ３０の閉状態時に、開口部１５・２５及びその周囲にある凸部１６・２６を覆うことができれば、内側面３１ｃ・３２ｃと凸部１６・２６の側面との間には空間があってもよい。同様に、凸面１２・２２とは反対側の位置以外に設けられた図５に示す凸部１６・２６の側面と、遮蔽部３１・３２の内側面３１ｃ・３２ｃとは、当接していてもよく、これら両者間に空間を設けてもよい。
【００６９】
上記摺動面３３・３４は、図４及び図５に示すように、上下ハーフ１０・２０のシャッタ摺動面１４・２４に対向する側に設けられ、シャッタ摺動面１４・２４に接触摺動する。摺動面３３・３４は、シャッタ３０の開閉動作時に、開口部１５・２５及びその周囲の凸部１６・２６を覆わない位置に設けられ、通常、上記遮蔽部３１・３２を取り囲む位置にて形成されている（図２）。
【００７０】
この摺動面３３・３４がシャッタ摺動面１４・２４を摺動することにより、上記シャッタ３０の開閉動作が行われる。摺動面３３・３４の摺動をスムーズに行うために、摺動面３３・３４とシャッタ摺動面１４・２４とは、それぞれ、完全に密着せず、図４に示すように、隙間αを設けて配置されている。つまり、この隙間αを設けることにより、摺動面３３・３４とシャッタ摺動面１４・２４との間の材質摩擦を低減することができるので、シャッタ３０のスムーズな開閉動作を実現することができる。また、摺動面３３・３４表面やシャッタ摺動面１４・２４表面に、製造時等に若干の凹凸が生じた場合にも、シャッタ３０は、スムーズに開閉動作を行うことができるようになっている。
【００７１】
上記のように、シャッタ３０は、摺動面３３・３４にて、シャッタ摺動面１４・２４を摺動し、遮蔽部３１・３２は、凸部１６の凸部上面１６ａやシャッタ摺動面１４・２４に接触しない構成となっている。言い換えれば、シャッタ３０の開状態にて、摺動面３３・３４は、遮蔽部３１・３２よりもシャッタ摺動面１４・２４に接近している。つまり、遮蔽部３１・３２と摺動面３３・３４との間には空間が存在する。それゆえ、図１に示すように、遮蔽部３１・３２は、シャッタ３０の開閉動作時に、凸部１６・２６に接触することなく、開口部１５・２５及び凸部１６・２６を覆うことができる。
【００７２】
以上のように、上下ハーフ１０・２０の開口部１５・２５の周囲には、凸部１６・２６が形成されている。これにより、図４に示す隙間αに、外部から塵や埃が侵入した場合にも、この凸部１６・２６が障壁となって、開口部１５・２５への塵や埃の侵入を阻止することができる。従って、外部から開口部１５・２５を通ってディスク２表面に粉塵等が付着することを防止することができるので、ディスク２の記録再生不良を低減することができる。
【００７３】
特に、図４に示すように、シャッタ３０の閉状態時に、内側面３１ｃ・３２ｃと凸部１６・２６の側面とが当接する構成である場合には、内側面３１ｃ・３２ｃと凸部１６・２６の側面との間に空間が形成されないので、開口部１５・２５への塵埃の侵入をさらに防止することができる。これにより、ディスクカートリッジ１の防塵性をより一層向上することができる。
【００７４】
次に、上記構成のディスクカートリッジ１のシャッタ３０の開閉動作について説明する。
【００７５】
上記ディスクカートリッジ１は、通常、図３（ａ）に示すように、シャッタ３０が開口部１５・２５を覆って、カートリッジ本体の内部に収納されたディスク２を遮蔽する閉状態となっている。つまり、図２に示すシャッタスプリング３９は、通常、シャッタ３０が開口部１５・２５を覆うように略直線状に広げられており、シャッタ３０及びシャッタスライダ３５を所定位置に押しやっている。
【００７６】
つまり、このとき、図４に示すように、シャッタ３０に設けられた遮蔽部３１・３２の当接面３１ａ・３２ａは、上記凸面１２・２２のシャッタ当接面１２ａ・２２ａに当接している。また、遮蔽部３１・３２の内側面３１ｃ・３２ｃは、凸面１２・２２とは反対側に位置する上記凸部１６・２６の側面に当接している。それゆえ、シャッタ３０は、凸面１２・２２上へ移動することなく、図３（ａ）に示すように、開口部１５・２５を覆う位置に留まることができるので、シャッタ３０を開口部１５・２５上に安定な状態で配置して閉状態とすることができる。
【００７７】
このようなシャッタ３０の閉状態では、上記したように、開口部１５・２５の周囲に設けられた凸部１６・２６の凸部上面１６ａ・２６ａに、遮蔽部３１・３２は接触していない（図４）。
【００７８】
これに対し、シャッタスライダ３５は、外部から力（外力）が加えられることにより、上下ハーフ１０・２０の側面部１７・２７に沿って、上記凸面１２・２２とは反対側へ移動する。このとき、シャッタスライダ３５の移動に伴って、図２に示すシャッタスプリング３９が略くの字型となるように折り曲げられる。
【００７９】
また、シャッタスライダ３５の移動とともに、図１に示すように、シャッタ３０は、シャッタ摺動面１４・２４を摺動して、凸面１２・２２とは反対側へと移動する。このとき、シャッタ３０の摺動面３３・３４がシャッタ摺動面１４・２４を摺動するので、凸状に形成された遮蔽部３１・３２が、上記凸部上面１６ａ・２６ａに接触することはない。このようなシャッタ３０の移動により、図３（ｂ）に示すように、開口部１５・２５からディスク２の一部が露出した開状態となる。
【００８０】
さらに、外力によって折り曲げられたシャッタスプリング３９は、外力が取り除かれると、付勢力によって、シャッタスライダ３５を上記凸面１２・２２側へと押しやる。同時に、シャッタ３０がシャッタ摺動面１４・２４を摺動して凸面１２・２２側へと移動する。このとき、図１に示すように、シャッタ３０の遮蔽部３１・３２は、凸状に形成されているので、上記凸部１６・２６の凸部上面１６ａ・２６ａに接触することなく移動する。
【００８１】
そして、図４に示すように、シャッタ３０に設けられた上記遮蔽部３１・３２の当接面３１ａ・３２ａがシャッタ当接面１２ａ・２２ａにそれぞれ当接し、遮蔽部３１・３２の内側面３１ｃ・３２ｃが上記凸部１６・２６の側面にそれぞれ当接する。これにより、開口部１５・２５は、図３（ａ）に示すように、シャッタ３０によって覆われ、再び閉状態となる。
【００８２】
上記のシャッタ３０の開閉動作では、上記したように、シャッタ３０は、遮蔽部３１・３２が形成されていない領域である摺動面３３・３４にて、上下ハーフ１０・２０のシャッタ摺動面１４・２４をそれぞれ摺動する。上記したように、摺動面３３・３４とシャッタ摺動面１４・２４との間にそれぞれ隙間α（図４）が設けられているので、シャッタ３０の摺動面３３・３４がシャッタ摺動面１４・２４を好適に摺動し、シャッタ３０の開閉動作をスムーズに行うことができる。
【００８３】
このシャッタ３０の開閉動作時には、摺動面３３・３４にて、シャッタ摺動面１４・２４が摺動することによって、磨耗粉が生じる場合がある。しかしながら、図４に示すように、開口部１５・２５の周囲には、凸部１６・２６が形成されているために、シャッタ摺動面１４・２４に磨耗粉が生じた場合にも、開口部１５・２５への磨耗粉の侵入は阻止される。これにより、ディスク２表面に磨耗粉が付着することを防止できるので、ディスク２の記録再生を好適に行うことが可能になる。
【００８４】
また、上記したように、遮蔽部３１・３２の対向面３１ｂ・３２ｂと、上下ハーフ１０・２０の凸部上面１６ａ・２６ａとの間には空間が形成されているので、シャッタ３０の開閉動作にて、対向面３１ｂ・３２ｂと凸部上面１６ａ・２６ａとが接触することはない。それゆえ、シャッタ３０の開閉動作時に、遮蔽部３１・３２が凸部上面１６ａ・１６ｂに接触して磨耗することはないので、磨耗粉が生じることはない。
【００８５】
従って、ディスクカートリッジ１では、シャッタ３０の開閉動作によって生じる磨耗粉を低減するとともに、摺動面３３・３４とシャッタ摺動面１４・２４との間に生じる磨耗粉が、開口部１５・２５を経てディスク２へ侵入することを抑制することができる。これにより、ディスクカートリッジ１の防塵性を高め、信頼性を向上することができる。
【００８６】
さらに、シャッタ３０は、図４に示すように、シャッタ３０の閉状態時にシャッタスプリング３９（図２）によって、凸面１２・２２の側面及び凸部１６の側面に押し付けられている。具体的には、図４に示すように、遮蔽部３１・３２の当接面３１ａ・３２ａにて、上下ハーフ１０・２０の凸面１２・２２のシャッタ当接面１２ａ・２２ａに押し付けられている。また、遮蔽部３１・３２の内側面３１ｃ・３２ｃにて、凸面１２・２２とは反対側に位置する凸部１６・２６の側面に押し付けられている。
【００８７】
それゆえ、シャッタ３０の閉状態時には、凸面１２・２２のシャッタ当接面１２ａ・２２ａに、シャッタ３０の当接面３１ａ・３２ａをより密着させることができ、かつ、上記凸部１６・２６の側面に、シャッタ３０の内側面３１ｃ・３２ｃをより密着させることができる構造となっている。これにより、シャッタ当接面１２ａ・２２ａと当接面３１ａ・３２ａとの接触部分での防塵性、及び、上記凸部１６・２６の側面と内側面３１ｃ・３２ｃとの接触部分での防塵性をさらに向上することができる。
【００８８】
また、防塵性を向上するために、図４に示すシャッタ当接面１２ａ・２２ａや上記凸部１６・２６の側面を弾性材料にて形成してもよい。これにより、シャッタ当接面１２ａ・２２ａに当接面３１ａ・３２ａが、シャッタスプリング３９によって押し付けられた場合に、凸部１６・２６の側面を形成する弾性材料の弾性力によって変形して、当接面３１ａ・３２ａがシャッタ当接面１２ａ・２２ａに密着することができる。同様に、シャッタ３０の内側面３１ｃ・３２ｃが、シャッタスプリング３９により上記凸部１６・２６の側面に押し付けられた場合にも、弾性体の弾性力によって密着することができる。それゆえ、シャッタ３０の当接面３１ａ・３２ａとシャッタ当接面１２ａ・２２ａとを密着させやすくなるので、ディスクカートリッジ１の防塵性をさらに向上することができる。
【００８９】
さらに、図４に示すように、シャッタ摺動面１４・２４上であって、開口部１５・２５の周囲に設けられた凸部１６・２６の外周に、トラップ部１４ａ・２４ａを設けてもよい。このトラップ部１４ａ・２４ａに、シャッタ３０の開閉動作時に、摺動面３３・３４にてシャッタ摺動面１４・２４が摺動することによって生じる磨耗粉が入り込む。また、外部から侵入した塵埃等もトラップ部１４ａ・２４ａにトラップされる。これにより、開口部１５・２５を通ってディスク２表面に付着する磨耗粉が低減されるので、ディスク２の記録再生時を好適に行うことができる。
【００９０】
なお、本実施の形態においては、上下ハーフ１０・２０に凸面１２・２２を設けているが、凸面１２・２２を設けなくてもよい。この場合、シャッタ３０の閉状態時に、シャッタ３０の遮蔽部３１・３２の当接面３１ａ・３２ａが、上下ハーフ１０・２０の凹部１１・２１の側面（図４の凸面１２・２２側）に当接するように、遮蔽部３１・３２を形成すればよい。この場合においても、開口部１５・２５の周囲の凸部１６・２６は、凸部１６・２６の凸部上面１６ａ・２６ａが、シャッタ３０の遮蔽部３１・３２に接触しない高さを有するように設けることが好ましい。
【００９１】
また、本実施の形態では、開口部１５・２５の周囲に、上下ハーフ１０・２０と同じ材質にて形成された凸部１６・２６を設けているが、図６に示すように、ブラシや帯電ブラシ等の耐磨耗性を有する弾性体にて、凸部１８・２８を形成してもよい。
【００９２】
このように、耐磨耗性を有する弾性体にて凸部１８・２８が形成されている場合には、図６に示すように、シャッタ３０の遮蔽部３１・３２の対向面３１ｂ・３２ｂが、凸部１８・２８の凸部上面１８ａ・２８ａに接触するように設けてもよい。すなわち、シャッタ３０の開閉動作時に、対向面３１ｂ・３２ｂが、凸部１８・２８の凸部上面１８ａ・２８ａに接触した場合にも、凸部１８・２８は耐磨耗性を有しているので、磨耗粉はほとんど生じない。
【００９３】
また、凸部１８・２８は弾性体にて形成されているので、シャッタ３０の閉状態時に、対向面３１ｂ・３２ｂが凸部上面１８ａ・２８ａに密着することができる。さらに、シャッタ３０の遮蔽部３１・３２の内側面３１ｃ・３２ｃと、凸部１８・２８とが当接した場合にも、凸部１８・２８が弾性変形して、内側面３１ｃ・３２ｃと凸部１８・２８とが密着した状態を形成することができる。
【００９４】
それゆえ、シャッタ３０の閉状態では、開口部１５・２５が密閉された状態となり、開口部１５・２５からディスク２へ、塵埃や磨耗粉がほとんど侵入しない。これにより、ディスクカートリッジ２の防塵性を向上し、信頼性を高めることができる。
【００９５】
特に、凸部１８・２８がブラシ等の適度な弾性を有する弾性体であれば、凸部上面１８ａ・２８ａとの摩擦も小さく、シャッタ３０の開閉動作に支障をきたすことはない。また、耐磨耗性を有する弾性体として、帯電ブラシを用いた場合には、該帯電ブラシによって、粉塵や磨耗粉が捕捉される。これにより、開口部１５・２５へ侵入する粉塵や磨耗粉を低減することもできる。
【００９６】
以上のような構成のディスクカートリッジは、図示しない記録再生装置に挿入されると、上記したように、シャッタが開いて開状態となり、開口部からディスクの一部が露出する。そして、この記録再生装置への挿入に伴って、例えば、図１３（ａ）に示すように、ディスクカートリッジ２００の凸面１２側の側面から、磁気ヘッドや光ヘッド等の記録再生ヘッド２４０が進入して、該記録再生ヘッド２４０がディスクカートリッジ２００を挟み込む。このとき、記録再生ヘッド２４０の先端部分２４０ａが、ディスクカートリッジ２００の開口部１５から露出したディスク２へ進入する。これにより、ディスク２上への情報の記録再生が可能になり、ディスク２の回転に伴って、記録再生ヘッド２４０は、図１３（ａ）の矢印Ｍにて示すように、ディスク２の径方向、すなわち、ディスク２の回転方向とは直角の方向に移動しながら、ディスク２上へ順に情報の記録再生を行う。
【００９７】
なお、以下では、記録再生ヘッド２４０がディスクカートリッジ２００に進入する側の側面をヘッド進入側面（記録再生ヘッド進入側面）２５０と記載する。
【００９８】
また、図１３（ａ）に示すディスクカートリッジ２００は、説明の便宜上、図３に示すディスクカートリッジ１の上ハーフ１０の側面部１７に沿って設けられた凸面１２とシャッタ摺動面１４との位置が入れ替わったものとなっている。従って、ディスクカートリッジ２００と、ディスクカートリッジ１では、シャッタ３０の摺動方向が異なることになるが、その機能については、両者にて何ら変わるものではないため、両者にて同一の部材番号を用いて説明を行っている。言い換えれば、図１ないし図６に示すディスクカートリッジ１を用いて行った説明は、ディスクカートリッジ２００に対しても同様に適用可能である。また、ディスクカートリッジ２００（図１３（ａ））や後述するディスクカートリッジ２０１（図１３（ｂ）・図１４）を用いた説明も、上記ディスクカートリッジ１に適用することができる。
【００９９】
上記記録再生ヘッド２４０は、上記のように、ディスクカートリッジ２００のヘッド進入側面２５０にヘッド基部２４０ｂを配置し、開口部１５に記録再生ヘッドの先端部分２４０ａを配置している。従って、記録再生ヘッド２４０は、通常、図１３（ａ）に示すように、ディスクカートリッジ２００のヘッド進入側面２５０から開口部１５までの距離に応じた大きさを有している。
【０１００】
これに対し、図１３（ｂ）に示すように、切り欠き部２５１を備えたディスクカートリッジ２０１を用いてもよい。この切り欠き部２５１は、記録再生装置へディスクカートリッジ２０１を装着する際の装着方向を判別するために設けられている。すなわち、ディスクカートリッジ２０１では、切り欠き部２５１はカートリッジ本体の側面に設けられている。従って、ディスクカートリッジ２０１を記録再生装置に挿入して装着する場合には、例えば、図１３（ｂ）の矢印Ｎにて示すように、この切り欠き部２５１が形成されている側から、ディスクカートリッジ２０１が記録再生装置に挿入されることになる。上記のように、切り欠き部２５１が設けられていれば、この切り欠き部２５１が設けられている側から、記録再生装置へディスクカートリッジ２０１を挿入して装着することになるので、ディスクカートリッジ２０１の挿入方向を容易に判断することが可能になる。
【０１０１】
また、本実施の形態のディスクカートリッジ２０１では、図１３（ｂ）に示すように、上記切り欠き部２５１は、記録再生装置の記録再生ヘッド２４０が接近する側のヘッド進入側面２５０の一部に設けられている。すなわち、このディスクカートリッジ２０１は、図１３（ａ）に示すディスクカートリッジ２００のヘッド進入側面２５０の一部を切り取ってなるものであり、その形状は特に限定されるものではない。そのため、ディスクカートリッジ２０１は、切り欠き部２５１を形成するように、図１３（ｂ）に示す上ハーフ２１０と下ハーフ２２０とを組み合わせてなるカートリッジ本体を用いている。なお、上記上下ハーフ２１０・２２０は、図１３（ａ）の上下ハーフ１０・２０の側面の一部を切り取ったものである。
【０１０２】
それゆえ、図１３（ｂ）に示すディスクカートリッジ２０１の切り欠き部２５１から開口部１５までの距離は、図１３（ａ）に示すディスクカートリッジ２００のヘッド進入側面２５０から開口部１５までの距離に比べて、ΔＬ（図１３（ｂ））だけ小さくなっている。従って、図１３（ｂ）に示すディスクカートリッジ２０１を用いた場合には、この切り欠き部２５１にまで記録再生ヘッド２４０が進入することができる。すなわち、上記切り欠き部２５１に、上記記録再生ヘッド２４０が収容されるので、記録再生ヘッド２４０を小型化することが可能になる。その結果、記録再生装置のディスクドライバ（図示せず）を小型化することができる。
【０１０３】
このように、上記ディスクカートリッジ２０１では、上記カートリッジ本体における、上記記録媒体上への情報の記録再生を行う記録再生ヘッドが進入する記録再生ヘッド進入側面２５０に、記録再生ヘッドの一部を収容可能な切り欠き部２５１を設けている。従って、記録再生装置の記録再生ヘッド２４０は、切り欠き部２５１から開口部１５までの距離に相当する大きさを有していればよいので、記記録再生ヘッドを小型化することが可能になる。その結果、録再生装置のディスクドライブを小型化することができる。
【０１０４】
なお、上記図１３（ｂ）では、記録再生ヘッド２４０がディスクカートリッジ２００・２０１の上ハーフ２１０から進入する場合について説明しているが、記録再生ヘッド２４０が下ハーフ２２０から進入する場合であっても、上記のような切り欠き部２５１を設けることによって、同様に、記録再生ヘッド２４０の小型化や記録再生装置のディスクドライバの小型化を図ることができる。
【０１０５】
また、本実施の形態のディスクカートリッジ２０１は、図１４（ａ）（ｂ）に示すように、上ハーフ２１０の凸面１２及び下ハーフ２２０の凸面２２に、それぞれ、凹形状の認識手段取付部１２ｘ・２２ｘが設けられたものであってもよい。この認識手段取付部１２ｘ・２２ｘには、ディスクカートリッジ２０１内に収納されたディスク２に関する情報を認識可能に記録するために、追記録可能な認識手段（図示せず）が設けられる。
【０１０６】
なお、図１４（ａ）（ｂ）に示すディスクカートリッジ２０１は、上記カートリッジ２００（図１３（ａ））と同様に、図３に示すディスクカートリッジ１にて、上ハーフ１０上の凸面１２の位置とシャッタ摺動面１４の位置とが入れ替わったものである。また、図４に示す下ハーフ２０の凸面２２の位置とシャッタ摺動面２４の位置とが入れ替わったものである。従って、これらの凸面１２・２２、シャッタ摺動面１４・２４、シャッタ３０は、図１４に示すディスクカートリッジ２０１においても、図３及び図４に示すディスクカートリッジ２００の機能と何ら変わるものではないため、ここでは両者に同じ部材番号を付し、その説明を省略する。
【０１０７】
上記認識手段としては、特に限定されるものではないが、アンテナ付きのＩＣチップであるＲＦ−ＩＤタグ（Radio Frequency-Identification タグ）や、サーマルラベル等の感熱記録素子等を挙げることができる。
【０１０８】
上記認識手段は、ディスクカートリッジ２０１を記録再生装置のディスクドライブに挿入する際に、ディスクドライブの挿入口に当接して剥離することがないように設置することが好ましい。従って、上記認識手段取付部１２ｘ・２２ｘは、図１４（ａ）（ｂ）に示すように、上記凸面１２・２２表面から上記認識手段が突出しないような深さにて形成する必要がある。
【０１０９】
すなわち、例えば、上記認識手段として、ＲＦ−ＩＤタグを用いた場合、その厚さは０．５ｍｍ程度である。従って、このＲＦ−ＩＤタグを、上下ハーフ２１０・２２０表面から突出することなく、上記認識手段取付部１２ｘ・２２ｘに取付ける場合には、該認識手段取付部１２ｘ・２２ｘの深さは、ＲＦ−ＩＤタグの厚さと、０．１ｍｍ以上のスペースとを考慮して、０．６ｍｍ以上とする必要がある。
【０１１０】
ところで、通常、本実施の形態のディスクカートリッジ２０１の一例であるＭＤカートリッジでは、上下ハーフ２１０・２２０の凸面１２・２２やシャッタ摺動面１４・２４以外の肉厚は、０．９ｍｍ程度である。そのため、この０．９ｍｍ程度の肉厚の領域に、認識手段取付部を設けた場合、該認識手段取付部の肉厚が０．３ｍｍ程度となり、強度が低下してしまうという問題がある。
【０１１１】
しかしながら、本実施の形態では、上下ハーフ２１０・２２０の表面のうち、比較的肉厚が大きい凸面１２・２２に、上記認識手段取付部を設けている。そのため、ＲＦ−ＩＤタグ等の認識手段が、上下ハーフ２１０・２２０表面から突出しない深さにて認識手段取付部を設けても、その強度が低下することはない。このように、上記ディスクカートリッジ２０１は、上下ハーフ２１０・２２０にそれぞれ凸面１２・２２を有しているので、上下ハーフ２１０・２２０の強度低下させることなく、認識手段を取り付けることができる。
【０１１２】
また、上記ディスクカートリッジ２０１では、上記認識手段が、上下ハーフ２１０・２２０表面に設けられている。そのため、記録再生装置のディスクドライブに、上記ディスクカートリッジ２００・２０１を挿入する又は取り出す際に、ディスク２上に情報の記録再生を行った日付や時刻等の日時データを、認識手段上に視認可能となるように記録することができる。すなわち、上記認識手段としてサーマルラベルを用い、サーマルラベル上への熱転写による記録を行い得る記録再生装置を用いれば、ディスクドライブへの挿入・取り出しに際して、サーマルラベル上に、日時データを記録することができる。
【０１１３】
これにより、ディスクカートリッジ２０１を、記録再生装置のディスクドライブに挿入することなく、ディスク２に情報の記録再生が行われた日時等を確認することができるので、ディスクカートリッジ２０１の利便性を向上することができる。
【０１１４】
なお、本実施の形態では、認識手段上に記録されるデータとして日時データを例に挙げたが、これに限定されるものではなく、例えば、ディスク２に記録された情報のタイトルや、ファイル形式、情報サイズ等のディスク２に関する情報であってもよい。
【０１１５】
また、本実施の形態では、シャッタ３０が閉状態にて当接する凸面１２・２２上に認識手段取付部を設けているが、必ずしもこれに限定されない。つまり、例えば、上下ハーフ２１０・２２０表面に、認識手段取付部を形成可能な上記凸面１２・２２のような凸形状領域（凸面部）を形成してもよい。この場合、凸形状領域は、ディスクカートリッジの記録再生装置への挿入・取り出しに際して、記録再生装置への引っ掛かり等が生じず、記録再生装置のディスクドライブやディスクカートリッジ２０１の損傷や破損を招くことがないような高さにて突出させることが好ましい。
【０１１６】
さらに、本実施の形態では、ディスクカートリッジ２０１の上下ハーフ２１０・２２０の双方に認識手段を設ける場合を例に挙げて説明したが、上下ハーフ２１０・２２０のいずれか一方に設ける構成であってもよい。
【０１１７】
また、本実施の形態では、カートリッジ本体の上下ハーフそれぞれに、開口部を有し、該開口部を覆うシャッタを備えているディスクカートリッジを例に挙げて説明したが、これに限定されるものではない。すなわち、上下ハーフのうちのいずれか一方にのみ開口部を備えているディスクカートリッジに対しても、本発明を適用することができる。
【０１１８】
例えば、図１５（ａ）（ｂ）に示すように、下ハーフ２２０のみに開口部２５を有し、該開口部２５を開閉するシャッタ３３０を有するディスクカートリッジ３０１に対しても適用可能である。すなわち、このディスクカートリッジ３０１では、図１５（ａ）に示すように、上ハーフ３１０には開口部が設けられていない構成となっている。
【０１１９】
上記構成のディスクカートリッジ３０１に対しても、上記したディスクカートリッジ１（図１〜図６）の下ハーフ２０を用いて説明した構成を適用することができる。また、ディスクカートリッジ３０１に、ディスクカートリッジ２０１（図１３（ｂ）、図１４（ａ）（ｂ））を用いて説明したように、切り欠き部２５１を設けることもできる。さらに、図１５（ｂ）に示すように、下ハーフ２２０の凸面２２に、認識手段取付部２２ｘを設けてもよい。
【０１２０】
なお、前述したように、シャッタが当接する凸面上に認識手段取付部を設けることが好ましいため、上下ハーフのうちのいずれか一方にのみ開口部を備えているディスクカートリッジでは、開口部が設けられている側の凸面に、認識手段取付ブを備えることが好ましい。従って、図１５（ａ）（ｂ）に示されるディスクカートリッジ３０１では、下ハーフ２２０の凸面２２にのみ認識手段取付部２２ｘを設け、該認識手段取付部２２ｘに、ＲＦ−ＩＤタグやサーマルラベル等の認識手段を取り付けることが好ましい。
【０１２１】
また、本実施の形態では、１つのシャッタ３０を備えたディスクカートリッジ１やディスクカートリッジ２００・２０１を用いて説明したが、回転開閉式の２つのシャッタを備えたディスクカートリッジであってもよい。すなわち、本発明は、図１１（ａ）（ｂ）及び図１２を用いて説明したディスクカートリッジ１０１に対しても適用可能である。以下、図１１（ａ）（ｂ）及び図１２に示すディスクカートリッジ１０１に対応するディスクカートリッジについて、図７（ａ）（ｂ）に基づいて、具体的に説明する。
【０１２２】
図７（ａ）に示すディスクカートリッジ４１は、内部にディスク４２を収納し、カートリッジ本体４３からディスク４２の一部を露出させるために開口部５５を備えている。この開口部５５の周囲には、凸部５６が設けられている。
【０１２３】
また、カートリッジ本体４３の凹部４３ａには、上記開口部５５に対して、２つのシャッタ５０ａ・５０ｂが設けられている。シャッタ５０ａ・５０ｂは、回転開閉式であり、カートリッジ本体４３の凹部４３ａを摺動して開閉動作を行う。そして、シャッタ５０ａ・５０ｂは、閉状態時に、上記開口部５５及び凸部５６を覆う遮蔽部５１ａ・５１ｂと、開閉動作時に、凹部４３ａを摺動する摺動部５２ａ・５２ｂを有している。
【０１２４】
上記のディスクカートリッジ４１は、図７（ａ）に示すように、シャッタ５０ａ・５０ｂを突き合わせて、開口部５５及び凸部５６を覆い、閉状態となる。このとき、シャッタ５０ａ・５０ｂの遮蔽部５１ａ・５１ｂは、上記凸部５６の上面に接触することなく、開口部５５及び凸部５６を覆う。そして、シャッタ５０ａ・５０ｂが開状態となる場合には、図７（ｂ）に示すように、２つのシャッタ５０ａ・５０ｂが、凹部４３ａに接触摺動して互いに離れる方向へと移動し、開口部５５からディスク４２を露出させる。なお、シャッタ５０ａ・５０ｂの開閉動作時にも、遮蔽部５１ａ・５１ｂと凸部５６の上面とが接触することはない。
【０１２５】
従って、シャッタ５０ａ・５０ｂの閉状態時に、シャッタ５０ａ・５０ｂの摺動部５２ａ・５２ｂと、カートリッジ本体４３の凹部４３ａとの間に塵や埃が侵入しても、開口部５５の周囲に凸部５６が設けられているので、開口部５５へ塵や埃が侵入することはない。言い換えれば、上記ディスクカートリッジ４１では、凸部５６が障壁となって、開口部５５への塵や埃の侵入を阻止することができる。
【０１２６】
また、シャッタ５０ａ・５０ｂの開閉動作時に、摺動部５２ａ・５２ｂと凹部４３ａとの間に磨耗が起こって磨耗粉が生じても、凸部５６が設けられているので、磨耗粉の開口部５５への侵入を阻止することができる。さらに、シャッタ５０ａ・５０ｂの開閉動作時に、シャッタ５０ａ・５０ｂの遮蔽部５１ａ・５１ｂと凸部５６の上面とが接触することはないので、磨耗が起こることはない。
【０１２７】
それゆえ、上記ディスクカートリッジ４１においても、シャッタ５０ａ・５０ｂの開閉動作によって生じる磨耗粉を低減するとともに、開口部５５へ侵入する粉塵や磨耗粉を低減して防塵性を高めることができる。これにより、ディスクカートリッジ４１の信頼性を向上することができる。
【０１２８】
なお、上記したように、凸部５６は、耐磨耗性を有する弾性体にて形成してもよい。この場合、遮蔽部５１ａ・５１ｂは、上記凸部５６の上面に接触してもよい。また、シャッタ５０ａとシャッタ５０ｂとが突き合わされる側の側面部分の少なくとも一方を弾性体にて形成してもよい。さらに、シャッタ５０ａの突き合わせ部分に、ひさし部５０ｘを設けてもよい。これにより、上記したように、シャッタ５０ａ・５０ｂの閉状態時における開口部５６の密閉性を高めることができ、ディスクカートリッジ４１の防塵性を向上することができる。
【０１２９】
さらに、本実施の形態では、シャッタを所定位置に留めるために、シャッタスプリングを用いるディスクカートリッジに対して、本発明を適用して説明したが、これに限定されるものではない。すなわち、シャッタスプリングを使わずに、一般的なミニディスク（ＭＤ）にて用いられているシャッタロックにて、シャッタを所定の位置に留めるディスクカートリッジに対しても、本発明を適用することができる。
【０１３０】
本実施の形態では、ディスク２として光磁気ディスクを用いた場合について説明したが、これに限定されるものではない。ＣＤ（Compact disk）、ＣＤ−ＲＯＭ（Compact disk−Read Only Memory）、ＣＤ−Ｒ（Compact disk−Recordable）、ＣＤ−ＲＷ（Compact disk ReWritable）、ＤＶＤ、ＤＶＤ−ＲＯＭ、ＤＶＤ−Ｒ、ＤＶＤ−ＲＷ、ＢＤ（Blue-ray Disk）等の円盤状の光情報記録媒体を用いることもできる。さらに、本実施の形態のディスクカートリッジ１としては、記録再生を行うものであってよく、再生専用であってよい。具体的には、各種光磁気ディスクを収納するミニディスク、磁気ディスクを収納するフロッピー（登録商標）ディスク等を挙げることができる。
【０１３１】
以上のように、本発明のディスクカートリッジは、上記のディスクカートリッジにおいて、上記シャッタは、遮蔽部の上記シャッタ摺動面に平行な面と、上記凸部の最頂部との間に空間を有するように設けられていることを特徴としている。
【０１３２】
上記の構成によれば、遮蔽部のうちのシャッタ摺動面に平行な面（以下、遮蔽部の対向面と記載する）と上記凸部の最頂部との間に空間が設けられているので、シャッタの開閉動作時に、遮蔽部と凸部の最頂部とが接触することはない。従って、遮蔽部の対向面と凸部の最頂部との間にて磨耗は生じず、開口部から記録媒体に磨耗粉が侵入することもない。これにより、記録媒体の記録再生を良好に行い得る信頼性の高いディスクカートリッジを提供することができる。
【０１３３】
また、本発明のディスクカートリッジは、上記のディスクカートリッジにおいて、上記凸部は、耐磨耗性を有する弾性体であることを特徴としている。
【０１３４】
上記の構成によれば、凸部が耐磨耗性を有しているので、シャッタの遮蔽部の対向面と凸部とが接触した場合にも、磨耗が起こりにくく、磨耗粉が生じにくい。さらに、凸部が弾性を有しているので、遮蔽部と凸部とが接触した場合に、凸部が弾性変形して遮蔽部に密着するので、遮蔽部と凸部との十分な密着性を確保することができる。
【０１３５】
従って、外部から開口部への塵埃や磨耗粉の侵入を低減することができ、記録媒体の表面に塵埃や磨耗粉が付着することを防止することができる。これにより、塵埃や磨耗粉等による記録媒体の記録再生時の異常を防止し、防塵性に優れたディスクカートリッジを提供することができる。
【０１３６】
また、本発明のディスクカートリッジは、上記のディスクカートリッジにおいて、上記凸部は、さらに帯電性を有していることを特徴としている。
【０１３７】
上記の構成によれば、凸部が帯電性を有しているので、凸部にて、塵埃や磨耗粉を捕捉することができる。これにより、開口部への塵埃や磨耗粉の侵入を低減し、防塵性に優れたディスクカートリッジを提供することができる。
【図面の簡単な説明】
【０１３８】
【図１】本発明におけるディスクカートリッジの開口部付近を示す斜視図である。
【図２】本発明の実施の一形態を示すディスクカートリッジの分解斜視図である。
【図３】（ａ）は、上記ディスクカートリッジのシャッタの閉状態を示す斜視図であり、（ｂ）は、上記ディスクカートリッジのシャッタの開状態を示す斜視図である。
【図４】図３（ａ）に示すディスクカートリッジのＡ−Ａ’断面を示す断面図である。
【図５】図３（ａ）に示すディスクカートリッジのＢ−Ｂ’断面を示す断面図である。
【図６】本発明におけるディスクカートリッジの他の実施の形態を示す断面図である。
【図７】本発明におけるディスクカートリッジのさらに他の実施の形態を示す概略図である。
【図８】従来のディスクカートリッジを示すものであって、（ａ）は、シャッタの閉状態を示す斜視図であり、（ｂ）は、シャッタの開状態を示す斜視図である。
【図９】上記従来のディスクカートリッジの分解斜視図である。
【図１０】図８（ａ）に示すディスクカートリッジのＣ−Ｃ’断面を示す断面図である。
【図１１】従来の他のディスクカートリッジを示すものであって、（ａ）は、シャッタの閉状態を示す斜視図であり、（ｂ）は、シャッタの開状態を示す斜視図である。
【図１２】図１１（ａ）に示すディスクカートリッジのＤ−Ｄ’断面を示す断面図である。
【図１３】（ａ）は、ディスクカートリッジに記録再生ヘッドが進入している状態を示す斜視図であり、（ｂ）は、本発明におけるディスクカートリッジのさらに他の実施の形態をであって、切り欠き部を有していないディスクカートリッジに記録再生ヘッドが進入している状態を示す斜視図である。
【図１４】（ａ）は、図１３（ｂ）に示すディスクカートリッジを上ハーフ側から示す斜視図であり、（ｂ）は、図１３（ｂ）に示すディスクカートリッジを下ハーフ側から示す斜視図である。
【図１５】本発明におけるディスクカートリッジのさらに他の実施の形態を示し、（ａ）は、上ハーフ側からディスクカートリッジを示す斜視図であり、（ｂ）は、下ハーフ側からディスクカートリッジを示す斜視図である。
【符号の説明】
【０１３９】
１    ディスクカートリッジ
２    ディスク
３    ライトプロテクタ
１０    上ハーフ（カートリッジ本体）
１１    凹部
１２    凸面
１２ａ  シャッタ当接面
１２ｘ  認識手段取付部
１４    シャッタ摺動面
１４ａ  トラップ部
１５    開口部
１６    凸部
１６ａ  凸部上面（最頂部）
１８    凸部
２０    下ハーフ（カートリッジ本体）
２１    凹部
２２    凸面
２２ａ  シャッタ当接面
２２ｘ  認識手段取付部
２４    シャッタ摺動面
２５    開口部
２６    凸部
２６ａ  凸部上面（最頂部）
２８    凸部
２９    シャッタ止め板
３０    シャッタ
３１    遮蔽部
３１ａ  当接面
３１ｂ  対向面
３１ｃ  内側面
３２    遮蔽部
３２ａ  当接面
３２ｂ  対向面
３２ｃ  内側面
３３    摺動面（摺動部）
３４    摺動面（摺動部）
３５    シャッタスライダ
３９    シャッタスプリング（スプリング）
４１    ディスクカートリッジ
４２    ディスク
４３    カートリッジ本体
４３ａ  凹部
５０ａ  シャッタ
５０ｂ  シャッタ
５１ａ  遮蔽部
５１ｂ  遮蔽部
５２ａ  摺動部
５２ｂ  摺動部
５５    開口部
５６    凸部
２００  ディスクカートリッジ
２０１  ディスクカートリッジ
２０２  ディスクカートリッジ
２１０  上ハーフ
２２０  下ハーフ
２４０  記録再生ヘッド
２５０  ヘッド進入側面（記録再生ヘッド進入側面）
２５１  切り欠き部
３０１  ディスクカートリッジ
３１０  上ハーフ
３３０  シャッタ
【図１】
2008052905.tif 000003
【図２】
2008052905.tif 000004
【図３】
2008052905.tif 000005
【図４】
2008052905.tif 000006
【図５】
2008052905.tif 000007
【図６】
2008052905.tif 000008
【図７】
2008052905.tif 000009
【図８】
2008052905.tif 000010
【図９】
2008052905.tif 000011
【図１０】
2008052905.tif 000012
【図１１】
2008052905.tif 000013
【図１２】
2008052905.tif 000014
【図１３】
2008052905.tif 000015
【図１４】
2008052905.tif 000016
【図１５】
2008052905.tif 000017